(57)【要約】  映像スクリーン機能を有するスピーカ装置であって、従来のスピーカのコーン紙が可撓性ＯＬＥＤで置換され、それにより、各種の画像ソース及び映像ソースを音声ソースと同期して表示するスピーカ装置が開示される。可撓性ＯＬＥＤが、サウンドコイル、磁石、及びダンパを有するサウンド出力装置と、サウンド出力装置の電気回路装置とを備えるスピーカ装置において、映像ソース及び外部アップグレードされた映像ソースを表示するために提供される。
2010504684.tif 000002
【特許請求の範囲】
【請求項１】
サウンドコイル、磁石、及びダンパを有するサウンド出力装置と、サウンド出力装置の電子回路装置とを備える、改良されたスピーカ装置であって、
出力される音声ソースと同期した映像ソースを表示する可撓性ＯＬＥＤ（有機発光素子）１と、
アップグレード映像ソースを外部から受信するための通信ポート及びインターネット端子を含むアップブレードモジュール３と、
音声ソース及び映像ソースを記憶する内部メモリ３４と、
外部から入力されるアップグレード映像ソースを記憶するメモリ１８を含む映像／音声ＰＣＢチップ１７と、
記憶されている映像ソース又はアップグレード映像ソースを表示する映像ソースを選択する映像ソースセレクタ３１と、
音声ソースと同期して表示される前記映像ソースを処理する映像／音声ソース同期プロセッサ３０及び映像信号プロセッサ４０と、
前記映像信号プロセッサ４０から出力された映像ソースを可撓性ＯＬＥＤに表示できるようにする映像プロセッサ５０、映像バッファ調整器５１、及びデジタルコンバータ５２と
を備えるスピーカ装置。
【請求項２】
記憶されている映像ソース又は外部入力されたアップグレード映像ソースを選択する映像ソース選択スイッチ８と、
前記映像ソースからユーザが好む映像ソースを選択して表示するメモリショートカットキー９と
をさらに備える請求項１記載の装置。
【発明の詳細な説明】
【技術分野】
【０００１】
本発明は、映像スクリーン機能を有するスピーカ装置に関し、特に、各種の画像ソース及び映像ソースを表示（視覚化）可能なスピーカ装置であって、従来のスピーカのコーン紙が可撓性ＯＬＥＤ（有機発光素子）で置換され、それにより、各種の画像ソース及び映像ソースを表示するスピーカ装置に関する。
【背景技術】
【０００２】
従来のスピーカには基本的に、ユーザの好みに応じてサウンド出力機能又は高音レベル出力機能及び低音レベル出力機能が提供される。伴奏機械が備えられたカラオケ部屋内で、ユーザは、歌詞と共に背景画像を表示するモニタスクリーンを見ながら、スピーカを通して出力される伴奏に沿って歌を歌う。しかし、従来技術では、モニタ及びスクリーンは限られた狭い空間内に別個に設置されるため、ユーザは限られた狭い空間により心地悪さを感じ得る。さらに、モニタに表示される背景画像はスピーカから出力されるサウンドと同期しないことがあるため、ユーザが退屈を感じることがある。巨大なイベントコンサートで設置されるスピーカは高価であり、画像を表示するモニタ又はスクリーンをスピーカとオーバーラップさせることができるように、複数の場所に設置される。複数のスピーカ及びモニタを限られた空間内に適宜設置することは容易ではなく、それにより、イベント効果を最大にすることは不可能である。
【発明の概要】
【発明が解決しようとする課題】
【０００３】
したがって、本発明の目的は、従来技術において直面する諸問題を克服した映像スクリーン機能を有するスピーカ装置を提供することである。
【０００４】
本発明の別の目的は、スピーカ及び映像スクリーンを１つの一体装置に設置することにより、映像装置と音声装置とが別個に設置される際に発生する諸問題を克服することが可能な、映像スクリーン機能を有するスピーカ装置を提供することである。
【０００５】
本発明のさらに別の目的は、ユーザが選択した音声出力ソースに応じて再生されるようにプログラムされた画像ソース及び映像ソースを表示することによってカラオケ部屋又は巨大なイベントのユーザに最大のイベント効果を与えることが可能な、映像スクリーン機能を有するスピーカ装置を提供することである。
【課題を解決するための手段】
【０００６】
上記目的を達成するために、サウンドコイル、磁石、及びダンパを有するサウンド出力装置と、サウンド出力装置の電気回路装置とを含むスピーカ装置において、出力される音声ソースと同期した映像ソースを表示する可撓性ＯＬＥＤ（有機発光素子）と、アップグレード映像ソースを外部から受信する、通信ポート及びインターネット端子を含むアップグレードモジュールと、音声ソース及び映像ソースを記憶する内部メモリと、外部から入力されるアップグレード映像ソースを記憶するメモリを含む映像／音声ＰＣＢチップと、記憶されている映像ソース又はアップグレード映像ソースを表示する映像ソースを選択する映像ソースセレクタと、音声ソースと同期して表示される映像ソースを処理する映像／音声ソース同期プロセッサ及び映像信号プロセッサと、映像信号プロセッサから出力された映像ソースを可撓性ＯＬＥＤに表示できるようにする映像プロセッサ、映像バッファ調整器、及びデジタルコンバータとを備える改良されたスピーカ装置が提供される。
【０００７】
本発明は添付図面を参照することによってよりよく理解され、添付図面は例示としてのみ与えられるため、本発明を制限しない。
【図面の簡単な説明】
【０００８】
【図１】本発明によるスピーカ装置の外観を示す図である。
【図２】本発明によるスピーカ装置の主要要素を示す図である。
【図３】本発明によるスピーカ装置の主要要素を示す図である。
【図４】本発明によるスピーカ装置の映像スクリーンに表示される画像例を示す図である。
【図５】本発明によるスピーカ装置の内部回路のブロック図である。
【発明を実施するための形態】
【０００９】
本発明の好ましい実施形態について添付図面を参照して説明する。
【００１０】
図１は、本発明によるスピーカの外観を示す図である。本発明によるスピーカ装置は、従来のスピーカのエコー機能を有するコーン紙に取って代わるか、又はコーン紙に取り付けられて、記憶された又は外部の映像ソースを表示する可撓性ＯＬＥＤ（有機発光素子）１と、外部からの映像ソースをアップグレードするアップグレードモジュール(ＵＳＢ、ＳＤメモリ等）３と、音声ソース入力用の端子４と、映像ソース入力用の端子５と、可撓性ＯＬＥＤの表示をオン／オフするスイッチ６と、可撓性ＯＬＥＤに表示されている映像ソースの記憶されている次のデータを表示するためのスイッチ７と、記憶されている映像ソース（例えば、インパクト画像）又は外部アップグレードされる映像ソースを選択する選択スイッチ８と、複数の映像ソースからユーザが好む映像ソースを選択して表示するためのメモリショートカットキー９とを備える。ＯＬＥＤ１はガラス製の表示装置である。近年、技術進歩により、可撓性ＯＬＥＤが、軽量薄膜で作られ、円形をなすのに十分な可撓性を有する新規の表示装置として開示された。本発明では、可撓性ＯＬＥＤは、従来の技術において限られた機能を有するコーン紙に使用することができ、スピーカ装置に設置されるか、又は必要であればコーン紙に取り付けられ、それにより、コーン紙と同じ機能を達成する。したがって、各種の映像イメージ又は映像ソースを出力される音声信号と同期して表示することが可能である。映像ソースを外部から連続して受信するために使用されるアップグレードモジュール３には、外部通信回線又はインターネット回線をアップグレード方法として使用するための、通信ポート又はインターネット端子を設けることができる。
【００１１】
図２及び図３は、本発明によるスピーカ装置の主要要素を示す図である。図示のように、サウンドコイル１６、磁石１４、ダンパ１３、プレート１５、及び外部カップ１２で形成されるサウンド出力装置と、映像イメージ又は映像ソースを表示する可撓性ＯＬＥＤ１と、可撓性ＯＬＥＤ１の外側構造を形成するエッジ１０及びガスケット１１とが提供される。音声ソース２１及び映像ソース２２は、映像／音声ＰＣＢチップ１７を介して入力され、アップグレード映像ソースは、外部アップグレードモジュール（ＵＳＢ、ＳＤメモリ等）２３を介して映像／音声ＰＣＢチップのメモリ１８に入力されて記憶される。ユーザが上記ソースの中から選択した映像ソース１９はＯＬＥＤ１に出力されて表示され、音声ソース２０は音声装置から出力される。
【００１２】
図１及び図２に示すように、可撓性ＯＬＥＤに表示される映像ソースは、映像ソースの中のインパクト画像の一例に対応する。図４は、各種のインパクト画像の一例を示す。表示される映像ソースは、出力される音声ソースと同期するようにプログラムされる。ここで、ユーザは、特定の音声ソースに反応する好ましい映像ソースを選択することができる。図４は、インパクト画像の単なる一例を示す。図４に示すように、共通映像ソース又は他の映像ソースが、ユーザの選択に応じて表示される。図５は、本発明による装置の主要要素のブロック図である。内部メモリ３４に記憶されている映像ソース及び外部から入力されるアップグレード映像ソースの中からユーザによって選択された映像ソースは、映像ソースセレクタ３１から出力され、映像／音声同期プロセッサ３０を介して映像信号プロセッサ４０に入力される。
【００１３】
映像信号プロセッサ４０から出力される映像ソースは、映像プロセッサ５０、映像バッファ調整器５１、及びデジタルコンバータ５２を介して可撓性ＯＬＥＤに入力されて表示される。
【００１４】
音声ソースは、音声入力Ａ／Ｄコンバータ３６及び増幅率自動調整期３７を介して音声信号プロセッサ６０に入力され、遅延補償回路６１及びＤ／Ａコンバータ５４を介してスピーカから出力される。
【００１５】
音声ソースのレベルを目に見える映像形で示すレベル検出器５３がさらに提供される。
【産業上の利用可能性】
【００１６】
本発明では、スピーカ及び映像スクリーンの機能を有する可撓性ＯＬＥＤが１つの装置に設置され、それにより、映像装置及び音声装置が別個に提供される従来のシステムで発生するいかなる不都合も回避することが可能であるとともに、システムの構造が簡易化される。音声出力ソースに対して反応するようにプログラムされる、ユーザによって選択される映像ソースが１つの装置に表示され、それにより、カラオケ部屋のユーザ又はイベントの観客は増強された効果を得ることができる。
【００１７】
本発明は、本発明の主旨又は本質的な特徴から逸脱することなく、いくつかの形態で具現することができるが、上記例は、別段に特記されない限り、上記説明の詳細のいずれによっても制限されず、むしろ、添付の特許請求の範囲において規定される本発明の主旨及び範囲内で広く解釈されるべきであり、したがって、特許請求の範囲の境界及び範囲内にあるすべての変更及び変形又はこのような境界及び範囲の均等物が、添付の特許請求の範囲に包含されると意図されていることを理解されたい。
【図１】
2010504684.tif 000003
【図２】
2010504684.tif 000004
【図３】
2010504684.tif 000005
【図４】
2010504684.tif 000006
【図５】
2010504684.tif 000007
【国際調査報告】
2010504684.tif 000008
2010504684.tif 000009